(57)【要約】【課題】ＣＤＭＡ通信システムにおいて、無線同期判定精度を高めたＣＤＭＡ基地局受信装置を提供する。【解決手段】フィンガ部２は、パスサーチ部１から有効なパスの受信タイミングを受けて、受信ベースバンド信号からＤＰＣＣＨ（１０２）とＤＰＤＣＨ（１０３）、及び受信ＳＩＲ（１０４）を出力する。ＤＰＣＣＨ分離部４は、ＤＰＣＣＨデータ（１０２）からＰＩＬＯＴ部分（１０５）及びＴＦＣＩ部分（１０７）を抜き出し、ＰＩＬＯＴ誤りビット検出部７は、ＰＩＬＯＴ誤りビット数（１０６）を出力する。ＴＦＣＩ復号部５は、ＴＦＣＩの復号を行い、ＴＦＣＩ符号部９は、ＴＦＣＩ復号結果（１０８）を再符号化し、ＴＦＣＩ誤りビット検出部１０は、ＴＦＣＩ誤りビット数（１１０）を算出して出力する。無線同期判定部８は、受信ＳＩＲ（１０４）、ＰＩＬＯＴ誤りビット数（１０６）、ＴＦＣＩ誤りビット数（１１０）を用いて無線同期状態を判定する。【選択図】　　　図１
2004064419.tif 000002
【特許請求の範囲】
【請求項１】
ＣＤＭＡ通信システムの基地局受信装置において、
入力された受信ベースバンド信号から有効なパスの受信タイミングを検出するパスサーチ部と、
このパスサーチ部から通知されたタイミングで、受信ベースバンド信号を逆拡散して、ＲＡＫＥ合成した後、制御情報信号であるＤＰＣＣＨと個別データ信号であるＤＰＤＣＨを出力するフィンガ部と、
前記ＤＰＣＣＨから無線同期判定を行い、前記ＤＰＤＣＨから受信データの復号を行うデコード部とを備え、
前記デコード部は、ＤＰＣＣＨフォーマットからＰＩＬＯＴ部分及びＴＦＣＩ部分を抜き出して出力するＤＰＣＣＨ分離部と、ＴＦＣＩの復号を行ってその結果を出力するＴＦＣＩ復号部と、そのＴＦＣＩ復号結果を再符号化するＴＦＣＩ符号部と、入力された受信ＴＦＣＩ信号と再符号化されたＴＦＣＩ信号とを比較することによりＴＦＣＩ誤りビット数を算出するＴＦＣＩ誤りビット検出部と、そのＴＦＣＩ誤りビット数と他の入力信号とから無線同期状態を判定する無線同期判定部と、前記ＴＦＣＩ復号結果を元に前記ＤＰＤＣＨの復号処理を行うＤＰＤＣＨデータ復号部とを有することを特徴とするＣＤＭＡ基地局受信装置。
【請求項２】
前記無線同期判定部は、前記他の入力信号として、受信ベースバンド信号のＰＩＬＯＴ部分から推定された受信ＳＩＲを用いて無線同期状態を判定することを特徴とする請求項１記載のＣＤＭＡ基地局受信装置。
【請求項３】
前記デコード部は、予め決められたＰＩＬＯＴパターンと入力された受信ＰＩＬＯＴ信号を復号して得られた結果とを比較して、ＰＩＬＯＴ誤りビット数を算出するＰＩＬＯＴ誤りビット検出部をさらに備え、
前記無線同期判定部は、前記他の入力信号として、前記ＰＩＬＯＴ誤りビット数を用いて無線同期状態を判定することを特徴とする請求項１又は２記載のＣＤＭＡ基地局受信装置。
【請求項４】
受信ベースバンド信号から有効なパスの受信タイミングを検出し、この検出されたタイミングで、受信ベースバンド信号を逆拡散して、ＲＡＫＥ合成した後、制御情報信号であるＤＰＣＣＨと個別データ信号であるＤＰＤＣＨを分離し、前記ＤＰＣＣＨから無線同期判定を行い、前記ＤＰＤＣＨから受信データの復号を行うＣＤＭＡ基地局受信装置の無線同期判定方法において、
ＤＰＣＣＨフォーマットからＰＩＬＯＴ部分及びＴＦＣＩ部分を抜き出し、
ＴＦＣＩの復号を行って、そのＴＦＣＩ復号結果を再符号化して、受信ＴＦＣＩ信号と再符号化されたＴＦＣＩ信号とを比較することによりＴＦＣＩ誤りビット数を算出し、
そのＴＦＣＩ誤りビット数と他の入力信号とから無線同期状態を判定し、
前記ＴＦＣＩ復号結果を元に前記ＤＰＤＣＨの復号処理を行うことを特徴とするＣＤＭＡ基地局受信装置の無線同期判定方法。
【請求項５】
前記他の入力信号として、受信ベースバンド信号のＰＩＬＯＴ部分から推定された受信ＳＩＲを用いて無線同期状態を判定することを特徴とする請求項４記載のＣＤＭＡ基地局受信装置の無線同期判定方法。
【請求項６】
予め決められたＰＩＬＯＴパターンと入力された受信ＰＩＬＯＴ信号を復号して得られた結果とを比較して、ＰＩＬＯＴ誤りビット数を算出し、
前記他の入力信号として、前記ＰＩＬＯＴ誤りビット数を用いて無線同期状態を判定することを特徴とする請求項４又は５記載のＣＤＭＡ基地局受信装置の無線同期判定方法。
【発明の詳細な説明】
【０００１】
【発明の属する技術分野】
本発明は、無線同期判定精度を高めたＣＤＭＡ基地局受信装置及びその無線同期判定方法に関する。
【０００２】
【従来の技術】
従来の無線同期判定方法を用いるＷ−ＣＤＭＡ基地局受信装置の要部構成を図４に示す。Ｗ−ＣＤＭＡ基地局受信装置において、復調された受信ベースバンド信号は、パスサーチ部１及びフィンガ部２へ入力される。パスサーチ部１は、入力された受信ベースバンド信号から有効なパスの受信タイミングを検出してフィンガ部２に通知する。フィンガ部２では、パスサーチ部１から通知されたタイミングにおいて、受信ベースバンド信号を逆拡散し、ＲＡＫＥ合成した後、デコード部３に対して、制御情報信号であるＤＰＣＣＨ（Ｄｅｄｉｃａｔｅｄ　Ｐｈｙｓｉｃａｌ　Ｃｏｎｔｒｏｌ　Ｃｈａｎｎｅｌ）（１０２）と、個別データ信号であるＤＰＤＣＨ（Ｄｅｄｉｃａｔｅｄ　Ｐｈｙｓｉｃａｌ　Ｄａｔａ　Ｃｈａｎｎｅｌ）（１０３）を出力する。
【０００３】
デコード部３では、入力されたＤＰＣＣＨデータ（１０２）をＤＰＣＣＨ分離部４において、ＰＩＬＯＴ部分（１０５）及びＴＦＣＩ部分（１０７）を抜き出してそれぞれＰＩＬＯＴ誤りビット検出部７、及びＴＦＣＩ復号部５へ出力する。ＰＩＬＯＴ誤りビット検出部７では、予め決められたＰＩＬＯＴパターンと入力された受信ＰＩＬＯＴ信号（１０５）を復号して得られた結果とを比較して、ＰＩＬＯＴ誤りビット数（１０６）を算出し、無線同期判定部８へ出力する。また、受信ＴＦＣＩ信号（１０７）を入力されたＴＦＣＩ復号部５では、ＴＦＣＩの復号を行い、その復号結果をＤＰＤＣＨデータ復号部１１へ出力する。
【０００４】
フィンガ部２では、受信ベースバンド信号のＰＩＬＯＴ部分から受信ＳＩＲの推定を行い、その結果の受信ＳＩＲ（１０４）を無線同期判定部８に対して出力する。無線同期判定部８では、入力された受信ＳＩＲ（１０４）、ＰＩＬＯＴ誤りビット数（１０６）を用いて無線同期状態を判定し、判定結果を上位レイヤへ通知する。
【０００５】
図５は、その無線同期判定アルゴリズムを示す。まず、現在の同期状態は、どの状態であるかを判断する（Ｓ１）。同期確立状態の場合には、ＰＩＬＯＴ誤りビット数（１０６）とＰＩＬＯＴ誤り許容ビット数Ａとの比較を行い（Ｓ２）、ＰＩＬＯＴ誤りビット数が大きい場合には、前方保護段数をカウントアップする（Ｓ５）。同様に受信ＳＩＲが決められた閾値よりも大きいかどうかを判断し（Ｓ３）、受信状態が規定された値よりも悪いという判断であれば、前方保護段をカウントアップする（Ｓ５）。また、Ｓ２，Ｓ３の判断で全て“ＮＯ”の場合は、前方保護段を０クリアする（Ｓ６）。
【０００６】
その後、前方保護段数が規定された前方保護段数の閾値よりも大きい場合には同期はずれ状態とし（Ｓ７）、閾値以下の場合は同期確立状態とする（Ｓ９）。つまり、ＰＩＬＯＴ誤りビット数、受信ＳＩＲのうちいずれかが条件を満たさない場合は同期はずれ状態と判定するが、その際に前方保護を設けて保護段数を超えるだけ条件を満たさない状況が続いた場合、同期はずれ状態と判定している。
【０００７】
一方、現在の同期状態が、同期はずれ状態、または初期状態と判定された場合には（Ｓ１）、ＰＩＬＯＴ誤りビット数、受信ＳＩＲ、それぞれについて条件判断を行い（Ｓ１０，Ｓ１１）、全て規定した条件を満たしている場合に、後方保護段をカウントアップし（Ｓ１３）、同期確立状態との判定に近づけており、いずれかの条件を満たさない場合は後方保護段を０クリアし（Ｓ１４）、後方保護段のカウントを最初からやり直すアルゴリズムとなっている。
【０００８】
以上、従来の判定方法では、無線同期判定を行う条件として、ＰＩＬＯＴ誤りビット数（１０６）と、推定された受信ＳＩＲ（１０４）のみを用いていた。
【０００９】
【発明が解決しようとする課題】
しかしながら、Ｗ−ＣＤＭＡ通信システムにおけるＣｏｍｐｒｅｓｓｅｄ　Ｍｏｄｅ（以下、ＣＭ）時のように、１無線フレーム内のＴｉｍｅ　Ｓｌｏｔ（以下、ＴＳ）の全てを送信せずにある区間（数ＴＳ間）の送信を停止したり、１ＴＳ中のＰＩＬＯＴ　Ｆｉｅｌｄのビット数が少ない無線フレームのスロットフォーマットを使用しなければならない等の理由により、無線フレーム同期の判定に用いる、１無線フレーム内の総ＰＩＬＯＴビット数、及び１ＴＳ内のＰＩＬＯＴビット数が少なくなる場合がある。１無線フレーム内のＰＩＬＯＴビットを用いて行うＰＩＬＯＴ誤りビット数による無線フレーム同期の判定では、測定ビット数が減少することにより、例えば、無信号入力時にランダム系列であるはずの受信ＰＩＬＯＴが既知のＰＩＬＯＴパターンと一致する確率が高くなり、結果として誤同期の判定につながるなど、無線同期判定精度が悪化する。また１ＴＳ内のＰＩＬＯＴビットを用いて行う受信ＳＩＲの推定も、測定に用いるＰＩＬＯＴビット数が減少することにより推定精度が悪化する。
【００１０】
以上のような理由により、従来の無線同期判定方法では、判定精度が劣化することが問題となっていた。
【００１１】
そこで本発明は、ＣＤＭＡ通信システムにおいて、無線フレーム同期の判定に用いるＰＩＬＯＴビット数が少なくなる場合でも、無線同期判定精度を高めたＣＤＭＡ基地局受信装置及びその無線同期判定方法を提供することを目的とする。
【００１２】
【課題を解決するための手段】
上述の課題を解決するため、本発明は、ＣＤＭＡ通信システムの基地局受信装置において、無線同期判定部への入力として、従来からのＰＩＬＯＴ誤りビット数、及び受信ＳＩＲの他に、ＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）誤りビット数を加えることにより、これらの条件から無線フレームの同期状態を判定することを特徴とする。
【００１３】
これによって、ＣＤＭＡ通信システムにおいて、無線フレーム同期の判定に用いる１ＴＳ中のＰＩＬＯＴビット数が少なくなる場合においても、従来に比べて精度良く無線フレーム同期を判定することができる。
【００１４】
【発明の実施の形態】
次に、本発明の実施の形態について図面を参照して説明する。
【００１５】
図１は、本発明の実施形態であるＷ−ＣＤＭＡ通信システムの基地局受信装置の要部構成を示す。Ｗ−ＣＤＭＡ基地局受信装置において、受信された信号を復調することにより得られた受信ベースバンド信号は、パスサーチ部１及びフィンガ部２へ入力される。パスサーチ部１は、入力された受信ベースバンド信号から有効なパスの受信タイミングを検出してフィンガ部２に通知する。フィンガ部２では、パスサーチ部１から通知されたタイミングにおいて、受信ベースバンド信号を逆拡散し、ＲＡＫＥ合成した後、デコード部３に対して軟判定信号（１０２、および１０３）を出力する。これらの軟判定信号は、制御情報信号であるＤＰＣＣＨ（Ｄｅｄｉｃａｔｅｄ　Ｐｈｙｓｉｃａｌ　Ｃｏｎｔｒｏｌ　Ｃｈａｎｎｅｌ）（１０２）と、個別データ信号であるＤＰＤＣＨ（Ｄｅｄｉｃａｔｅｄ　Ｐｈｙｓｉｃａｌ　Ｄａｔａ　Ｃｈａｎｎｅｌ）（１０３）の２つに分離されており、例えば図２に示すようなフォーマットを持つものである。
【００１６】
図２におけるＰＩＬＯＴ部のフォーマットおよびビット列は、上位レイヤから通知されるスロットフォーマットにより定められており、受信側では予め期待値がわかるため、受信信号から判定したＰＩＬＯＴのビット列と、期待値とを比較することにより、無線同期の判定の指標に用いることができる。また、ＰＩＬＯＴ信号は、既知信号であることを利用して、その他にもフィンガ部２で行う同期検波の際のチャネル推定や、受信ＳＩＲ推定にも用いられる。
【００１７】
また、図２のＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）は、１無線Ｆｒａｍｅ中の全スロットのＴＦＣＩビットを合わせて一つの情報をもち、ＤＰＤＣＨに載せられている個別データのＴｒａｎｓｐｏｒｔ　Ｆｏｒｍａｔの組み合わせ（Ｃｏｍｂｉｎａｔｉｏｎ）を示すものであり、ＴＦＣＩ復号結果（１０８）は、ＤＰＤＣＨデータ復号部における復号処理に必要な情報である。
【００１８】
さて、デコード部３では、入力されたＤＰＣＣＨ軟判定データ（１０２）をＤＰＣＣＨ分離部４において、図２のＤＰＣＣＨフォーマットからＰＩＬＯＴ部分（１０５）及びＴＦＣＩ部分（１０７）を抜き出してそれぞれＰＩＬＯＴ誤りビット検出部７、及びＴＦＣＩ復号部５へ出力する。
【００１９】
ＰＩＬＯＴ誤りビット検出部７では、予め決められたＰＩＬＯＴパターンと入力された受信ＰＩＬＯＴ信号（１０５）を軟判定から硬判定に変換した結果とを比較して、ＰＩＬＯＴ誤りビット数（１０６）を算出し、無線同期判定部８へ出力する。また、受信ＴＦＣＩ信号（１０７）を入力されたＴＦＣＩ復号部５では、ＴＦＣＩの復号を行い、復号結果（１０８）をＤＰＤＣＨデータ復号部１１およびＴＦＣＩ符号部９へ出力する。
【００２０】
ＤＰＤＣＨデータ復号部１１では、ＴＦＣＩ復号結果（１０８）を元に、ＤＰＤＣＨデータ（１０３）にデインタリーブ、レートデマッチング、誤り訂正復号処理、データフォーマット変換などの復号処理を行い、受信復号データを上位レイヤへ通知する。
【００２１】
一方、ＴＦＣＩ符号部９では、ＴＦＣＩ復号結果（１０８）を再符号化し、ＴＦＣＩ誤りビット検出部１０へ出力する。ＴＦＣＩ誤りビット検出部１０では、入力された受信ＴＦＣＩ信号（１０７）を軟判定から硬判定に変換することにより得られるＴＦＣＩ　ｃｏｄｅ　ｗｏｒｄと再符号化された結果として得られるＴＦＣＩ　ｃｏｄｅ　ｗｏｒｄ（１０９）とを比較することによりＴＦＣＩ誤りビット数（１１０）を算出し、無線同期判定部８へ出力する。
【００２２】
また、フィンガ部２では、受信ベースバンド信号のＰＩＬＯＴ部分から受信ＳＩＲの推定を行い、その結果の受信ＳＩＲ（１０４）を無線同期判定部８に対して出力する。無線同期判定部８では、入力された受信ＳＩＲ（１０４）、ＰＩＬＯＴ誤りビット数（１０６）、ＴＦＣＩ誤りビット数（１１０）を用いて無線同期状態を判定し、判定結果を上位レイヤへ通知する。
【００２３】
上記で述べたように、本発明では、ＴＦＣＩ符号部９において再符号化した結果（１０９）と受信ＴＦＣＩ信号（１０７）とを、ＴＦＣＩ誤りビット検出部１０において比較することにより、その結果を無線同期判定部８における同期判定の指標として用いることを特徴としている。
【００２４】
ＰＩＬＯＴ誤りビット数（１０６）の方は、予め定められている既知ＰＩＬＯＴパターンと受信ＰＩＬＯＴの比較を行うことにより、無線同期状態を類推することが可能であるが、ＴＦＣＩ誤りビット数（１１０）の方は、受信ＴＦＣＩ（１０７）を復号した結果を元に再符号化した結果（１０９）との比較で無線同期状態を類推しようとしている。このように、ＴＦＣＩの場合に受信された情報をフィードバックして同期判定の指標とすることができるのは、ＴＦＣＩ信号が以下のような特徴を持つからである。
【００２５】
ＴＦＣＩは０から１０２３までの１０２４通りの値をとり、これらの値は２進数では１０ｂｉｔで表現することができる。送信側でのＴＦＣＩの符号化においては、この１０ｂｉｔのＴＦＣＩを（３２，１０）ｓｕｂ−ｃｏｄｅ　ｏｆ　ｓｅｃｏｎｄ　ｏｒｄｅｒ　Ｒｅｅｄ−Ｍｕｌｌｅｒ　ｃｏｄｅにより符号化し、その結果として得られるＴＦＣＩ　ｃｏｄｅ　ｗｏｒｄは、符号語長が３２ｂｉｔで１０個の規定系列の線形和により構成される。ここで、１０個の規定系列はアダマール系列を多少変形したものとマスク用の系列からなるため、各々のＴＦＣＩ　ｃｏｄｅ　ｗｏｒｄは互いに高い直交性を有することを特徴としている。また、その符号化された３２ｂｉｔのＴＦＣＩ　ｃｏｄｅ　ｗｏｒｄは、１無線フレーム中の各ＴＳのＴＦＣＩ　Ｆｉｅｌｄに分割してマッピングされてから送信されている。
【００２６】
受信側では、各ＴＳから取り出して集めた受信ＴＦＣＩ信号が、取り得る１０２４通りのＴＦＣＩ　ｃｏｄｅ　ｗｏｒｄのうちのどれに該当するかを探さなければならない。ＴＦＣＩ　ｃｏｄｅ　ｗｏｒｄは、上述の性質を持つため、一般に高速アダマール変換（ＦＨＴ：Ｆａｓｔ　Ｈａｄａｍａｒｄ　Ｔｒａｎｓｆｏｒｍ）を利用して復号される。このように、各ＴＦＣＩ　ｃｏｄｅ　ｗｏｒｄ同士は高い直交性を有することを特徴とするため、ＤＰＣＣＨの方はＤＰＤＣＨと異なり、誤り訂正符号化が施されていないにもかかわらず、ＴＦＣＩを精度良く復号することができる。
【００２７】
次に、図３を参照して、無線同期判定部８における、無線同期判定方法を説明する。なお、以下の説明で用いるＰＩＬＯＴ誤り許容ビット数Ａ、受信ＳＩＲ閾値Ａ、ＴＦＣＩ誤り許容ビット数Ａ、前方保護段数閾値、ＰＩＬＯＴ誤り許容ビット数Ｂ、受信ＳＩＲ閾値Ｂ、ＴＦＣＩ誤り許容ビット数Ｂ、後方保護段数閾値は、それぞれ予め実験等により求めた最適な値をデコード部３が記憶しておくものとする。ただし、ＰＩＬＯＴ誤り許容ビット数Ａ及びＰＩＬＯＴ誤り許容ビット数Ｂについては、受信される無線フレーム毎に測定に用いるＰＩＬＯＴビット数が変化する場合があるので、適当に補正するものとする。
【００２８】
まず、現在の同期状態は、どの状態であるかを判断する（Ｓ１）。同期確立状態の場合には、ＰＩＬＯＴ誤りビット数（１０６）とＰＩＬＯＴ誤り許容ビット数Ａとの比較を行い（Ｓ２）、ＰＩＬＯＴ誤りビット数が大きい場合には、前方保護段数をカウントアップする（Ｓ５）。
【００２９】
また、同様にそれぞれ受信ＳＩＲ、ＴＦＣＩ誤りビット数が決められた閾値よりも大きいかどうかを判断し（Ｓ３，Ｓ４）、受信状態が規定された値よりも悪いという判断であれば、前方保護段をカウントアップする（Ｓ５）。また、Ｓ２，Ｓ３，Ｓ４の判断で全て“ＮＯ”の場合は、前方保護段を０クリアする（Ｓ６）。その後、前方保護段数が規定された前方保護段数の閾値よりも大きい場合には同期はずれ状態とし（Ｓ７）、閾値以下の場合は同期確立状態とする（Ｓ９）。つまり、ＰＩＬＯＴ誤りビット数、受信ＳＩＲ、ＴＦＣＩ誤りビット数、の３条件のうちの１つでも条件を満たさない場合は同期はずれ状態と判定するが、その際に前方保護を設けて保護段数を超えるだけ条件を満たさない状況が続いた場合、同期はずれ状態と判定している。
【００３０】
一方、現在の同期状態が、同期はずれ状態、または初期状態と判定された場合には（Ｓ１）、ＰＩＬＯＴ誤りビット数、受信ＳＩＲ、ＴＦＣＩ誤りビット数、それぞれについて条件判断を行い（Ｓ１０，Ｓ１１，Ｓ１２）、全て規定した条件を満たしている場合に、後方保護段をカウントアップし（Ｓ１３）、同期確立状態との判定に近づけており、どれか一つでも条件を満たさない場合は後方保護段を０クリアし（Ｓ１４）、後方保護段のカウントを最初からやり直すアルゴリズムとなっている。
【００３１】
上記実施形態では、ＰＩＬＯＴ誤りビット数、受信ＳＩＲ、ＴＦＣＩ誤りビット数の３つの条件を用いて、無線同期状態の判定を行っているが、処理量削減のため、３つのうちより効果のある２つを選択して判定条件として用いる構成も考えられる。例えば、ＰＩＬＯＴ誤りビット数とＴＦＣＩ誤りビット数の組み合わせ、あるいは受信ＳＩＲとＴＦＣＩ誤りビット数の組み合わせ、等が考えられる。
【００３２】
【発明の効果】
以上説明したように、本発明は、ＣＤＭＡ通信システム基地局受信装置の無線同期の判定において、ＰＩＬＯＴ誤りビット数又は受信ＳＩＲに加えてＴＦＣＩ誤りビット数を同期判定の条件に加えることにより、無線フレーム同期の判定に用いるＰＩＬＯＴビット数が少なくなる場合においても、無線同期判定精度が向上するという効果をもたらす。
【図面の簡単な説明】
【図１】本発明に係るＷ−ＣＤＭＡ通信システムの基地局受信装置の要部構成図である。
【図２】ＤＰＣＣＨとＤＰＤＣＨのフォーマット例を示す図である。
【図３】本発明の無線同期判定方法を説明するフローチャートである。
【図４】従来のＷ−ＣＤＭＡ基地局受信装置の要部構成図である。
【図５】従来のＷ−ＣＤＭＡ基地局受信装置の無線同期判定アルゴリズムを示すフローチャートである。
【符号の説明】
１　パスサーチ部
２　フィンガ部
３　デコード部
４　ＤＰＣＣＨ分離部
５　ＴＦＣＩ復号部
６　無線同期判定ブロック
７　ＰＩＬＯＴ誤りビット検出部
８　無線同期判定部
９　ＴＦＣＩ符号部
１０　ＴＦＣＩ誤りビット検出部
１１　ＤＰＤＣＨデータ復号部
【図１】
2004064419.tif 000003
【図２】
2004064419.tif 000004
【図３】
2004064419.tif 000005
【図４】
2004064419.tif 000006
【図５】
2004064419.tif 000007